(57)【特許請求の範囲】
【請求項１】
広告情報提供システムに用いられる情報端末装置であって、
提供された広告情報に基づいて広告対象地点へ移動体を誘導する誘導手段と、
前記誘導により前記広告対象地点または前記広告対象地点の付近に到達した後、前記広告対象地点より発行された来場データを取得する来場データ取得手段と、
取得した前記来場データを、前記広告情報を配信した広告提供者設備へ送信する来場データ送信手段と、
を含み、
移動体の位置情報を取得する位置情報取得手段を備え、
前記位置情報取得手段は、前記来場データを取得する前または後の位置データを取得し、
前記来場データ送信手段は、前記来場データとともに、前記位置データを前記広告提供者設備へ送信することを特徴とする情報端末装置。
【請求項２】
前記提供された広告情報を画面表示または音声案内する広告提示手段を含み、
前記来場データ送信手段は、前記来場データとともに、該当する広告情報を前記広告提示手段によって提供したことを示す広告提供データを前記広告提供者設備へ送信することを特徴とする請求項１に記載の情報端末装置。
【請求項３】
前記誘導手段は、前記広告情報に基づいてルート設定を行い、前記広告対象地点へ移動体を誘導することを特徴とする請求項１に記載の情報端末装置。
【請求項４】
前記来場データ取得手段として、前記来場データを記録する当該装置に着脱自在な可搬型のメモリカードを備え、
前記来場データ送信手段は、前記来場データが記録されたメモリカードが装着されたときにこの来場データを前記広告提供者設備へ送信することを特徴とする請求項１に記載の情報端末装置。
【請求項５】
広告情報提供システムに用いられる情報端末装置であって、
提供された広告情報に基づいて広告対象地点へ移動体を誘導する誘導手段と、
前記誘導により前記広告対象地点または前記広告対象地点の付近に到達した後、前記広告対象地点より発行された来場データを取得する来場データ取得手段と、
取得した前記来場データを、前記広告情報を配信した広告提供者設備へ送信する来場データ送信手段と、
を含み、
前記来場データ取得手段として、前記広告対象より発行された広告対象コードを入力するデータ入力手段を備え、
前記来場データ送信手段は、前記広告対象コードが入力されたときにこの広告対象コードとともに位置データを前記広告提供者設備へ送信することを特徴とする情報端末装置。
【請求項６】
請求項５に記載の情報端末装置の手段としてコンピュータを実行させるためのプログラム。
【発明の詳細な説明】
【０００１】
【発明の属する技術分野】
本発明は、ナビゲーション装置などを用いて広告情報を表示可能な情報端末装置及び広告情報提供システムに関する。
【０００２】
【従来の技術】
一般店舗、商業施設あるいは観光施設などでは、集客のために、地図情報誌などを発行する発行元に対して所定の掲載料を支払うことによって自分の店舗などの広告を掲載することが行われる。最近では、車載用または携帯用のナビゲーション装置において、地図上に店舗などの位置情報が登録されており、利用者が目的地やルートを決定する際の参考にできるものが普及してきている。
【０００３】
【発明が解決しようとする課題】
ところが、店舗などでは、比較的高い掲載料を支払って広告を掲載しているにもかかわらず、利用者がその広告を見て来店等をしているか否か、すなわち広告に対する集客効果を容易に知ることはできなかった。また、前述のナビゲーション装置において店舗などの位置情報とともに広告情報を表示し、集客効果を得るようにすることも考えられているが、このような装置において、従来では、適切な広告情報提供システムが存在しなかった。すなわち、店舗などが広告に対する集客効果の確認、把握などを容易に行ったりすることができないという問題点があった。
【０００４】
本発明は、上記事情に鑑みてなされたものであり、店舗などの広告依頼者が広告対象の広告についての集客効果を容易に知ることが可能な情報端末装置及び広告情報提供システムを提供することを目的とする。
【０００５】
また、本発明は、広告効果に応じた費用の請求、支払いが可能であり、費用対効果の優れた広告掲載を行うことが可能な情報端末装置及び広告情報提供システムを提供することを目的とする。
【０００６】
【課題を解決するための手段】
上記課題を解決するために、本発明は、広告情報提供システムに用いられる情報端末装置であって、提供された広告情報に基づいて広告対象地点へ移動体を誘導する誘導手段と、前記誘導により前記広告対象地点または前記広告対象地点の付近に到達した後、前記広告対象地点より発行された来場データを取得する来場データ取得手段と、取得した前記来場データを、前記広告情報を配信した広告提供者設備へ送信する来場データ送信手段と、を含み、移動体の位置情報を取得する位置情報取得手段を備え、前記位置情報取得手段は、前記来場データを取得する前または後の位置データを取得し、前記来場データ送信手段は、前記来場データとともに、前記位置データを前記広告提供者設備へ送信することを特徴とする。
【０００７】
また、前記提供された広告情報を画面表示または音声案内する広告提示手段を含み、前記来場データ送信手段は、前記来場データとともに、該当する広告情報を前記広告提示手段によって提供したことを示す広告提供データを前記広告提供者設備へ送信することを特徴とする。
【０００８】
また、前記誘導手段は、前記広告情報に基づいてルート設定を行い、前記広告対象地点へ移動体を誘導することを特徴とする。
【００１０】
また、前記来場データ取得手段として、前記来場データを記録する当該装置に着脱自在な可搬型のメモリカードを備え、前記来場データ送信手段は、前記来場データが記録されたメモリカードが装着されたときにこの来場データを前記広告提供者設備へ送信することを特徴とする。
【００１１】
また、本発明は、広告情報提供システムに用いられる情報端末装置であって、提供された広告情報に基づいて広告対象地点へ移動体を誘導する誘導手段と、前記誘導により前記広告対象地点または前記広告対象地点の付近に到達した後、前記広告対象地点より発行された来場データを取得する来場データ取得手段と、取得した前記来場データを、前記広告情報を配信した広告提供者設備へ送信する来場データ送信手段と、を含み、前記来場データ取得手段として、前記広告対象より発行された広告対象コードを入力するデータ入力手段を備え、前記来場データ送信手段は、前記広告対象コードが入力されたときにこの広告対象コードとともに位置データを前記広告提供者設備へ送信することを特徴とする。
【００１９】
また、本発明は、前記情報端末装置の手段としてコンピュータを実行させるためのプログラムを提供する。
【００２０】
上記構成により、広告を見て来場したことを示す広告対象より発行された来場データによって、広告情報に対する実際の来場数などが分かるため、店舗などの広告依頼者が広告対象の広告についての集客効果を容易に知ることが可能となる。また、来場データとともに広告提供データ、位置データなどを送信することにより、確かに該当する広告情報に基づいて来場したことの証明となるため、来場データの信頼性が向上する。
【００２１】
また、来場データの送受信に対応して広告提供者から広告依頼者に対して紹介料を請求することにより、広告効果に応じた費用の請求、支払いが可能であり、費用対効果の優れた広告掲載を行うことが可能となる。さらに、来場データの提供に応じて情報端末装置の利用者に対して特典を与えることにより、利用者の来場データ提供意欲を高められるので、より実体に即した広告効果の情報を回収可能となる。
【００２２】
【発明の実施の形態】
以下、図面を参照して本発明の実施の形態を説明する。
本実施形態では、店舗などの広告依頼者からの広告情報を広告提供者が一括管理し、広告提供者が提供する店舗などの広告対象の広告情報を取得した利用者が、当該広告情報に基づいて広告対象に訪れた際に所定の手続がなされる広告情報提供システムについて本発明を適用した場合の構成例を示す。
【００２３】
（Ｉ）第１実施形態
図１は本発明の実施形態に係る広告情報提供システムの全体構成を示すブロック図、図２は本実施形態に用いられるナビゲーション装置の構成を示すブロック図、図３は第１実施形態の広告情報提供システムにおける情報等の流れを示す動作説明図、図４は第１実施形態の広告情報提供システムにおける情報提供処理を示す動作シーケンスチャートである。
【００２４】
図１に示すように、本実施形態の広告情報提供システムは、広告対象である店舗１０の施設内に設けられた店舗設備ＳＴと、広告提供者２０の施設内に設けられた広告提供者設備ＳＰと、この広告情報提供サービスの利用者が使用する車輌３０内に設けられた情報端末装置としてのナビゲーション装置ＮＡとを有して構成される。
【００２５】
なお、本実施形態では、店舗１０及び店舗設備ＳＴがそれぞれ広告依頼者４０及び広告依頼者設備ＲＱを兼ねる例を示すが、これらは別々であってもよい。また、各設備ＳＴ、ＳＰはそれぞれの施設内に設けずに通信回線を介して離れた場所に設けるようにしてもよい。また、広告対象は店舗に限らず、店舗等を複合した商業施設、遊園地や動物園などの行楽施設、湖や滝などの観光施設、遊戯施設、スポーツ施設、映画館や劇場、美術館などの文化施設、宿泊施設など、種々のものを対象とすることができる。
【００２６】
また、ナビゲーション装置ＮＡは、車輌３０内に設ける車載用端末だけでなく、利用者が持ち運び可能な携帯型端末を用いることもできる。さらに、これらの店舗１０、広告提供者２０、車輌３０などは図では説明を簡単にするために単数で示しているが、複数備えるようにしてもよい。
【００２７】
店舗１０と広告提供者２０とは、有線あるいは無線の通信手段またはその他の手段によって互いに情報等のやり取りがなされるようになっている。広告提供者２０と車輌３０のナビゲーション装置ＮＡとは、携帯電話などの移動体通信システムの無線通信手段などによって接続されて情報等のやり取りがなされ、例えば広告提供者２０から提供される広告情報がナビゲーション装置ＮＡの表示部に表示されるようになっている。そして、ナビゲーション装置ＮＡに取り込まれた広告情報に基づいて目的地（この場合は店舗１０）へ向かうための車輌３０のルート設定及び誘導（ナビゲーション処理）がなされるようになっている。
【００２８】
なお、広告情報はナビゲーション装置ＮＡへ無線通信により配信して表示部に表示する以外に、情報誌などの他の媒体によって情報提供するようにしてもよい。この場合、利用者による入力操作、媒体の装着、広告情報への通信回線等を介したアクセス、他の装置の接続などによって店舗の広告に関する情報をナビゲーション装置ＮＡに取り込むようにする。
【００２９】
図２に示すように、ナビゲーション装置ＮＡは、システムの中核を担うシステム制御部３０１と、ＧＰＳ（Global Positioning System ）受信部３０２と、車輌の移動距離及び速度を検出する距離センサ並びに車輌の旋回角度を検出する角度センサ等を含む各種センサ部３０３と、ＶＩＣＳ（Vehicle Information and Communication Systems ）受信部３０４と、地図情報記憶部３０５と、データ入力部を兼ねる操作部３０６と、液晶ディスプレイ等よりなる表示部３０７と、音声増幅器及びスピーカ等を含む音声案内部３０８と、入力情報等を一時的に記憶する記憶部３０９と、上記以外の各種情報を有線または無線の通信手段により送受信する通信回線送受信部３１０と、免許不要の２．４ＧＨｚ帯の微弱電波を用いた信号伝送方式であるブルートゥース（Bluetooth ）による信号を送受信するブルートゥース送受信部３１１と、情報を記憶保持する着脱、搬送可能なメモリカード３１２とを有して構成される。
【００３０】
ＧＰＳ受信部３０２は、複数のＧＰＳ衛星からの航法電波を受信し、この受信信号に含まれている位置情報等に基づいて、車輌の現在位置情報等を含むＧＰＳ信号を生成し、システム制御部３０１へ出力する。一方、各種センサ部３０３は、当該センサ部に含まれている各センサにおける検出結果に基づいて、自立的に求めた車輌の現在位置（すなわち、出発点を起点とした移動距離及び移動方位を積算して求めた現在位置）を示す位置信号を生成し、システム制御部３０１へ出力する。
【００３１】
これらにより、システム制御部３０１は、位置信号により示される現在位置を主として用い、これをＧＰＳ信号により示される現在位置情報等により補正しつつ車輌の現在位置を検出し、表示部３０７に表示信号として出力する。そして、表示部３０７内の表示画面上に地図情報とともに検出された現在位置を示す位置マーク等を表示する。
【００３２】
他方、ＶＩＣＳ受信部３０４は、いわゆるＶＩＣＳから送信されてくる渋滞情報等を含むＶＩＣＳ情報を受信し、この渋滞情報等を含むＶＩＣＳ信号を生成してシステム制御部３０１へ出力する。
【００３３】
また、ＤＶＤ−ＲＯＭ（DVD - Read Only Memory）ドライブ装置またはハードディスクドライブ装置等からなる地図情報記憶部３０５は、表示部３０７上に表示されてナビゲーション処理に用いられる地図情報を一括して記憶し、必要な地図情報を検索して地図信号を生成し、システム制御部３０１へ出力する。
【００３４】
操作部３０６は、ナビゲーション処理の実行に際して当該操作部３０６に対して利用者が必要な操作を行うと、実行された操作に対応する操作信号を生成し、システム制御部３０１へ出力する。
【００３５】
表示部３０７は、システム制御部３０１から出力される表示信号に基づいて、ナビゲーション処理に必要な情報を表示し、利用者に提示する。このとき、表示部３０７において表示される情報としては、地図情報記憶部３０５に記憶されていた地図情報の他に、移動案内のための文字情報、到着予定時刻や現在時刻等の時刻情報、ＧＰＳ電波の受信状態等を示す状態情報等が含まれる。また、音声案内部３０８は、システム制御部３０１からの音声制御信号に基づいて、ナビゲーション処理に必要な案内音声等を合成し、車室内に放音する。
【００３６】
これらの各構成要素の処理と並行して、システム制御部３０１は、地図情報の読み出し及び表示制御、位置マークや他の情報の表示制御、案内音声等の出力制御、経路案内処理などの各種処理を統括制御する。
【００３７】
記憶部３０９は、ＲＡＭなどのメモリで構成され、利用者が登録した目的地情報、登録地点情報などを記憶する。また、メモリカード３１２は、フラッシュメモリなどの記憶素子を内蔵し、所定の汎用形式、または独自形式のインタフェースを有してなる着脱可能なカード型記憶媒体であり、店舗等に実際に来場したことを示す来場データなどを記憶する。なお、メモリカード３１２は、ＳＩＭカード（Subscriber Identity Module Card ）などの個人認証機能を持つもの、クレジット決済機能を持つものなどを用いてもよい。
【００３８】
また、通信回線送受信部３１０は、例えば、広告提供者２０による提供情報やインターネット上の情報などにアクセスして取得するための通信インターフェース部を構成するものであり、ナビゲーション処理に必要な各種情報や地域情報などを取得するためのデータ通信を行う。また、利用者等が持っている携帯情報端末などの他の通信機器との接続にも用いられる。ブルートゥース送受信部３１１は、他の装置に搭載されたブルートゥース送受信部との間で電波を送受信して信号のやり取りを行う。
【００３９】
次に、第１実施形態の広告情報提供システムにおける動作を図３及び図４を用いて説明する。
【００４０】
第１実施形態では、図３に示すように、まず店舗１０が広告提供者２０に対して広告の掲載依頼を行い、広告情報の登録を行う。広告提供者２０は、広告提供者設備ＳＰから利用者の車輌３０のナビゲーション装置ＮＡに対して広告情報を配信する。これにより、広告情報が表示部３０７の表示画面上に表示されたり、音声案内部３０８によって音声で案内される。広告情報は、任意に表示部３０７の表示画面上に表示されるようにしてもよいし、表示画面に表示された地図上の店舗などをタッチパネルで触れたり操作部３０６で指示したりすると、対応する店舗の広告情報が表示されるようにしたり、その店舗等での割引情報や取扱商品、メニューなどが表示されるようにしてもよい。このとき、利用者は、外部から配信または装置内部に記憶されたルート情報、地図情報、広告情報などを参考にしてルート設定を行い、ナビゲーション装置ＮＡの誘導によって目的地である店舗１０に到達する。
【００４１】
そして、ナビゲーション装置ＮＡに装着されているメモリカード３１２を取り出し、店舗設備ＳＴの端末に差し込むなどして店舗設備ＳＴに直接または無線インターフェースなどを介して接続することにより、実際に来店したことを示す店舗識別情報を含むユニークな番号や符号などによる来場データがメモリカード３１２に書き込まれる。このメモリカード３１２には、来場データを記録する前または後に、広告情報を提供したことを示す広告提供データ、ＧＰＳによる位置データなどが書き込まれる。
【００４２】
来場データが書き込まれたメモリカード３１２をナビゲーション装置ＮＡに差し込むと、来場データが広告提供者２０の広告提供者設備ＳＰへ無線通信によって転送される。この来場データの送信に対応して、広告提供者設備ＳＰから店舗１０に対して広告提供の手数料に相当する紹介料の支払い要求がなされ、これに応じて店舗１０から広告提供者２０に紹介料が支払われる。紹介料の請求や決済処理は、ネットワーク等の通信回線を介した電子決済など、システム構成や使用状態などに応じて適宜選択した手段を用いればよい。
【００４３】
また、前記来場データの送信に対応して、広告提供者設備ＳＰからナビゲーション装置ＮＡの利用者に対しては見返りとして何らかの特典が与えられる。例えば、ナビゲーション装置ＮＡと広告提供者設備ＳＰとの通信料を安くしたり、店舗などの利用の際の料金割引をしたり、各種サービスなどを受けるためのポイント加算をしたりなど、広告利用に対する種々の特典が考えられる。
【００４４】
上記のように、情報端末装置であるナビゲーション装置ＮＡは、請求項記載の広告提示手段、誘導手段、及び来場データ送信手段の機能を有している。また、広告提供者設備ＳＰは、請求項記載の広告配信手段、受信手段、請求手段、及び特典付与手段の機能を有している。また、広告依頼者設備である店舗設備ＳＴは、来場データ送出手段の機能を有している。
【００４５】
以下に、図４の動作シーケンスチャートによって第１実施形態における広告情報提供処理をより詳細に説明する。
【００４６】
まず、広告依頼者である店舗１０より広告提供者２０に対して広告の掲載依頼を行い、広告情報を広告提供者設備ＳＰに送信することによって広告情報の登録を行う（ステップＳ１０１）。広告情報の送信は、店舗設備ＳＴから広告提供者設備ＳＰへのネットワークや公衆回線等の通信回線を介したデータ送信など、システム構成や使用状態などに応じた種々の手段が用いられる。
【００４７】
上記広告情報を受けた広告提供者２０の広告提供者設備ＳＰでは、本広告情報提供サービスの利用者が使用する車輌３０のナビゲーション装置ＮＡに対して、適宜加工処理を施した広告情報を含む各種情報を送信し、情報提供を行う（ステップＳ１０２）。例えば、ルート情報を基に生成したドライブプランと登録された広告情報とを合わせて提示したりする。そしてナビゲーション装置ＮＡにおいて、通信回線送受信部３１０を介して受信した広告情報やドライブプランなどの提供情報を表示部３０７の表示画面上に表示したり、音声案内部３０８により音声出力することにより、情報の案内を行う（ステップＳ１０３）。
【００４８】
そして、上記広告情報やドライブプランを受けた利用者が、ナビゲーション装置ＮＡの操作部３０６を操作して選択することにより、目的地へのルート設定処理が実行される。例えば、広告情報を見た利用者が広告対象となっている店舗へ行くための好適な経路などが地図上で設定される。その後、ナビゲーション装置ＮＡによってルート設定に従ったナビゲーション処理が実行される（ステップＳ１０４）。なお、ナビゲーション装置ＮＡでのルート設定において、情報誌等の他の媒体に掲載された広告を見て来店する場合は、操作部３０６の操作によって広告コードなどを入力するなどの手順が用いられる。また、広告提供者２０から配信される広告情報やドライブプランは、地図情報記憶部３０５のＤＶＤ−ＲＯＭ等の情報記録媒体やメモリカード３１２によってナビゲーション装置ＮＡに取り込まれるようにしてもよい。また、広告情報は、車輌３０の移動中などに、登録されている広告情報の中からナビゲーション装置ＮＡの現在位置の付近にある店舗などの広告情報を随時提供するようにしてもよい。
【００４９】
ナビゲーション装置ＮＡでのナビゲーション処理によって車輌３０に乗った利用者がルート設定に従って誘導され、店舗１０またはその付近に到着すると、利用者はナビゲーション装置ＮＡからメモリカード３１２を取り出して店舗１０に持参し入店する（ステップＳ１０５）。そして、このメモリカード３１２を店舗設備ＳＴの端末に差し込むなどして店舗設備ＳＴに接続すると、店舗設備ＳＴでは、広告を見て実際に来店したことを示すユニークな番号や符号を含む来場データをメモリカード３１２に書き込む（ステップＳ１０６）。このメモリカード３１２には、例えばナビゲーション装置ＮＡにおいて広告情報の表示及びルート設定を行ったときに、広告情報を提供したことを示す広告提供データ、ＧＰＳによる位置データなどが書き込まれており、これらのデータに対応させて来場データが記録される。
【００５０】
そして、利用者は来場データを記録したメモリカード３１２をナビゲーション装置ＮＡに装着する（ステップＳ１０７）。これによって、ナビゲーション装置ＮＡでは、メモリカード３１２から来場データを位置データや広告提供データなどとともに読み出し、通信回線送受信部３１０を介して無線通信によって広告提供者２０の広告提供者設備ＳＰに送信する（ステップＳ１０８）。広告提供者設備ＳＰにおいてナビゲーション装置ＮＡからの来場データの転送を受けると、広告提供者２０より該当する店舗１０に対して広告提供の手数料に相当する紹介料を請求する（ステップＳ１０９）。これに応じて、店舗１０は広告提供者２０に紹介料の支払いを行う（ステップＳ１１０）。
【００５１】
また、ナビゲーション装置ＮＡから広告提供者設備ＳＰへ来場データが転送されたときに、広告提供者２０よりナビゲーション装置ＮＡの利用者に対して来場データ提供の見返りとして何らかの特典を付与する（ステップＳ１１１）。また、店舗１０より特典として来店した利用者に対して次回利用時の割引情報などを送信するようにしてもよい（ステップＳ１１２）。
【００５２】
このように、第１実施形態では、ナビゲーション装置ＮＡの誘導によって利用者が広告対象の店舗１０に到達し、この店舗１０において実際に広告を見て来店したことを示す来場データをメモリカード３１２に記録し、このメモリカード３１２をナビゲーション装置ＮＡに装着することで来場データを広告提供者２０の広告提供者設備ＳＰに送信する。これによって、広告提供者２０や広告依頼者の店舗１０は、来場データを集計したりすることで広告の効果を容易に把握することができる。このとき、店舗にとっては、メモリカード３１２に来場データを記録するのみで、利用者登録やパスワード入力などの手間が不要であるため、広告情報提供システムの導入、運用を容易に行うことができる。
【００５３】
また、利用者が広告対象の店舗に行って取得した来場データとともに、広告情報を提供したことを示す広告提供データ及びナビゲーション装置ＮＡのＧＰＳによる位置データ、さらには、ナビゲーション処理による誘導時の履歴情報、ナビゲーション装置ＮＡの使用者のＩＤ情報などを送信するようにすれば、確かに利用者が広告を見て該当する店舗に訪れたことの証明とすることができ、これによってデータの悪用や改ざんを防止でき、システムの信頼性を向上できる。
【００５４】
そして、利用者からの来場データの送信に対して広告の紹介料の決済を行うことにより、店舗側は広告効果に応じた広告料金の支払いを行うことができる。このため、広告依頼時の広告掲載料を削減（場合によっては無料に）することができ、広告掲載後に実際に広告の効果が得られた分だけ適切で合理的な広告料金の徴収、支払が可能となる。したがって、予算が少ない小規模の店舗などでも、事前に効果がはっきりわからない広告に対して多額の広告宣伝費をかけるリスクを負う必要がなく、売り上げに貢献してくれた利用者の来場回数に対してのみ広告の紹介料を支払えば済むため、無駄な出費を抑えることができる。
【００５５】
また、利用者に対しては来場データの送信に対して通信料や利用料の割引などの特典を与えることにより、利用者にとって有益な情報や対価が得られるため、利用者の来場データ提供意欲を高めることができ、より実体に即した広告効果の情報を回収することができる。
【００５６】
（II）第２実施形態
図５は本発明の第２実施形態の広告情報提供システムにおける情報等の流れを示す動作説明図、図６は第２実施形態の広告情報提供システムにおける情報提供処理を示す動作シーケンスチャートである。
【００５７】
第２実施形態は、広告情報提供システムにおける来場データのやり取りの手順を変更した例であり、システム構成は図１及び図２に示した第１実施形態と同様であるためここでは説明を省略し、広告情報提供処理に関する動作を図５及び図６を用いて説明する。
【００５８】
第２実施形態では、図５に示すように、まず店舗１０が広告提供者２０に対して広告の掲載依頼を行い、広告情報の登録を行う。広告提供者２０は、広告提供者設備ＳＰから利用者の車輌３０のナビゲーション装置ＮＡに対して広告情報を配信する。これにより、広告情報が表示部３０７の表示画面上に表示されたり、音声案内部３０８によって音声で案内される。このとき、利用者は、外部から配信または装置内部に記憶されたルート情報、地図情報、広告情報などを参考にしてルート設定を行い、ナビゲーション装置ＮＡの誘導によって目的地である店舗１０に到達する。
【００５９】
そして、利用者が広告情報を見て店舗１０に入店したり、入店後に買い物したりなどして、売り上げに貢献するなどの店舗１０にとって何らかの広告効果が得られる行動をすると、店舗１０より実際に広告情報によって来店したことを示す店舗情報等を含むユニークな番号や符号などによる店舗コード（広告対象コード）を受け取る。例えば、精算結果が書かれたレシート３５０に店舗コードが印字されたものを受け取る。なお、店舗コードが印字等されたカードを利用者が受け取るようにしてもよい。
【００６０】
利用者がナビゲーション装置ＮＡの操作部３０６等を用いて店舗コードを手操作または音声で入力すると、店舗コード及びＧＰＳによる位置データなどを含む来場データが広告提供者２０の広告提供者設備ＳＰへ無線通信によって転送される。この場合、店舗コードとともに位置データを送信することにより、実際に来場したことのより確かな証明となる。この来場データの送信に対応して、広告提供者設備ＳＰから店舗１０に対して広告提供の手数料に相当する紹介料の支払い要求がなされ、これに応じて店舗１０から広告提供者２０に紹介料が支払われる。紹介料の請求や決済処理は、ネットワーク等の通信回線を介した電子決済など、システム構成や使用状態などに応じて適宜選択した手段を用いればよい。
【００６１】
また、前記来場データの送信に対応して、広告提供者設備ＳＰからナビゲーション装置ＮＡの利用者に対しては見返りとして何らかの特典が与えられる。この場合、利用者にとって手間がかかる店舗コードの入力を促進するため、ナビゲーション装置ＮＡから広告提供者設備ＳＰへの通信料は広告提供者２０側の負担とするのが好ましい。特典としては、店舗などの利用の際の料金割引をしたり、各種サービスなどを受けるためのポイント加算をしたりなど、広告利用に対する種々の特典が考えられる。
【００６２】
上記のように、情報端末装置であるナビゲーション装置ＮＡは、請求項記載の広告提示手段、誘導手段、データ入力手段、及び来場データ送信手段の機能を有している。また、広告提供者設備ＳＰは、請求項記載の広告配信手段、受信手段、請求手段、及び特典付与手段の機能を有している。また、広告依頼者設備である店舗設備ＳＴは、来場データ発行手段の機能を有している。
【００６３】
以下に、図６の動作シーケンスチャートによって第２実施形態における広告情報提供処理をより詳細に説明する。
【００６４】
広告依頼者である店舗１０より広告提供者２０に対して広告の掲載依頼を行って広告情報の登録を行うステップＳ２０１から、利用者が広告情報に基づいてナビゲーション装置ＮＡにおいてルート設定を行ってナビゲーション処理によって誘導され目的の店舗１０に到達するステップＳ２０４までの手順は、図４に示した第１実施形態のステップＳ１０１〜Ｓ１０４と同様である。なおここで、ナビゲーション装置ＮＡの記憶部３０９には、例えばナビゲーション装置ＮＡにおいて広告情報の表示及びルート設定を行ったときに、広告情報を提供したことを示す広告提供データ、ＧＰＳによる位置データなどが書き込まれている。
【００６５】
ナビゲーション装置ＮＡでのナビゲーション処理によって車輌３０に乗った利用者がルート設定に従って誘導され、店舗１０またはその付近に到着した後、店舗１０に入店して買い物などを行う（ステップＳ２０５）。店舗１０側では、利用者に対して広告を見て来店したことを示す店舗コードが印字されたレシート３５０等を発行し、利用者に渡す（ステップＳ２０６）。そして、利用者はこの店舗コードを手操作または音声入力によってナビゲーション装置ＮＡに入力する（ステップＳ２０７）。店舗コードの入力は、例えば、表示部３０７の表示画面上で該当する店舗などをタッチパネルで触れたり、操作部３０６で指示したり、あるいは専用のボタンを押すと、店舗コード送信用の入力画面に切り替わるようにし、利用者がこの入力画面を用いて入力操作を行えるようにする。
【００６６】
店舗コードが入力されると、ナビゲーション装置ＮＡでは、ＧＰＳによる位置データや広告情報を提供したことを示す広告提供データなどとともに、入力された店舗コードを通信回線送受信部３１０を介して無線通信によって広告提供者２０の広告提供者設備ＳＰに送信する（ステップＳ２０８）。
【００６７】
以降のステップＳ２０９〜Ｓ２１２の手順は図４に示した第１実施形態のステップＳ１０９〜Ｓ１１２と同様であり、広告提供者設備ＳＰにおいてナビゲーション装置ＮＡからの来場データの転送を受けると、広告提供者２０より該当する店舗１０に対して広告提供の手数料に相当する紹介料を請求する（ステップＳ２０９）。これに応じて、店舗１０は広告提供者２０に紹介料の支払いを行う（ステップＳ２１０）。また、ナビゲーション装置ＮＡから広告提供者設備ＳＰへ来場データが転送されたときに、広告提供者２０よりナビゲーション装置ＮＡの利用者に対して来場データ提供の見返りとして何らかの特典を付与する（ステップＳ２１１）。また、店舗１０より特典として来店した利用者に対して次回利用時の割引情報などを送信するようにしてもよい（ステップＳ２１２）。
【００６８】
このように、第２実施形態では、ナビゲーション装置ＮＡの誘導によって利用者が広告対象の店舗１０に到達し、この店舗１０において実際に広告を見て来店して売り上げに貢献したことを示す店舗コードをレシート等に印字して渡し、利用者がこの店舗コードをナビゲーション装置ＮＡに入力することにより店舗コードや位置データを広告提供者２０の広告提供者設備ＳＰに送信する。これによって、第１実施形態と同様、広告提供者２０や広告依頼者の店舗１０は、来場データを集計したりすることで広告の効果を容易に把握することができる。
【００６９】
このとき、レシート等に印字された店舗コードは、広告情報を見てナビゲーション装置ＮＡを用いて来店した利用者以外にとっては無意味なものであるため、悪用されたりなどの問題は生じない。また、店舗にとっては、レシート等に店舗コードを印字して利用者に渡すのみで、特別な設備や装置の設置、及び利用者登録やパスワード入力などの手間が不要であるため、広告情報提供システムの構築、導入、運用を容易に行うことができる。
【００７０】
また、利用者が広告対象の店舗に行って取得した店舗コードとともに、広告情報を提供したことを示す広告提供データ及びナビゲーション装置ＮＡのＧＰＳによる位置データを広告提供者設備ＳＰに送信することによって、確かに利用者が広告を見て該当する店舗に訪れたことの証明とすることができ、これによってデータの悪用や改ざんを防止でき、システムの信頼性を向上できる。さらには、ナビゲーション処理による誘導時の履歴情報、ナビゲーション装置ＮＡの使用者のＩＤ情報なども送信するようにすれば、より来場データの信頼性を高めることができる。
【００７１】
そして、利用者からの来場データの送信に対して広告の紹介料の決済を行うことにより、店舗側は広告効果に応じた広告料金の支払いを行うことができ、広告依頼時の広告掲載料を削減して広告掲載後に実際に広告の効果が得られた分だけ合理的な広告料金の支払が可能となるため、費用対効果の優れた広告掲載を行うことができる。広告提供者側では、広告に対する集客効果に応じた適切な広告料を徴収して情報提供サービスを運営することができる。
【００７２】
また、利用者に対しては来場データの送信に対して通信料や利用料の割引などの特典を与えることにより、利用者にとって有益な情報や対価が得られるため、利用者の来場データ提供意欲を高めることができ、より実体に即した広告効果の情報を回収することができる。
【００７３】
このように上述した第１及び第２実施形態によれば、広告依頼者、広告提供者、利用者の三者にとってそれぞれ利点のある広告情報提供システムを構築することができる。
【００７４】
なお、上述した実施形態の変形例として、来場データをやり取りするメモリカードやレシートなどの代わりに、無線通信または有線通信が可能な携帯情報端末あるいは携帯電話機を用い、この携帯情報端末または携帯電話機を利用者が店舗に持参して店舗設備ＳＴから来場データを受け取り、ナビゲーション装置ＮＡに来場データを転送するような構成であっても、上述した実施形態を同様に適用可能である。この場合、ブルートゥースなどの通信によって店舗設備ＳＴやナビゲーション装置ＮＡと無線信号を送受信して来場データをやり取りする構成とした方が実用時の運用や操作が簡便になり、より好ましい。
【００７５】
また、ナビゲーション装置ＮＡを携帯型端末とした場合は、利用者が直接ナビゲーション装置ＮＡを店舗設備ＳＴまで持参して来場データを受け取って広告提供者設備ＳＰへ送信するようにすることもでき、この場合メモリカード等を省略することが可能である。
【００７６】
これらの変形例において、携帯端末で来場データを取得する場合は、ルート設定を行ってナビゲーション処理により誘導を行った履歴情報や経路情報などを、ナビゲーション装置ＮＡからブルートゥースなどの通信によって受け取って店舗設備ＳＴに送信したり、ナビゲーション機能を内蔵する場合は自装置から店舗設備ＳＴに送信し、これに応じて来場データを受け取るようにする。あるいは、携帯端末の所定のボタンを押すことにより前記ナビゲーション処理の履歴情報や経路情報などが画面表示されるようにし、利用者が店舗側に提示することによって、店舗コードが印字されたレシート等を来場データとして受けるようにすることもできる。そして、ナビゲーション装置ＮＡまたは携帯端末から広告提供者設備ＳＰへ来場データを送信し、店舗と広告提供者との間で広告の紹介料の決済を行ったり、来場データを送信した利用者に特典を付与したりする。
【００７７】
上記変形例では、利用者が広告情報を基に経路探索やルート設定を行った結果により店舗に訪れたことが、店舗側で明確に分かるため、店舗において広告による来店者数や広告効果を正確に把握することが可能となる。
【００７８】
【発明の効果】
以上説明したように本発明によれば、店舗などの広告依頼者が広告対象の広告についての集客効果を容易に知ることが可能となる効果が得られる。
【００７９】
また、本発明によれば、広告効果に応じた費用の請求、支払いが可能であり、費用対効果の優れた広告掲載を行うことが可能となる効果が得られる。
【図面の簡単な説明】
【図１】本発明の実施形態に係る広告情報提供システムの全体構成を示すブロック図である。
【図２】本発明の実施形態に用いられるナビゲーション装置の構成を示すブロック図である。
【図３】第１実施形態の広告情報提供システムにおける情報等の流れを示す動作説明図である。
【図４】第１実施形態の広告情報提供システムにおける情報提供処理を示す動作シーケンスチャートである。
【図５】本発明の第２実施形態の広告情報提供システムにおける情報等の流れを示す動作説明図である。
【図６】第２実施形態の広告情報提供システムにおける情報提供処理を示す動作シーケンスチャートである。
【符号の説明】
１０  店舗
２０  広告提供者
３０  車輌
４０  広告依頼者
３０１  システム制御部
３０２  ＧＰＳ受信部
３０３  各種センサ部
３０４  ＶＩＣＳ受信部
３０５  地図情報記憶部
３０６  操作部
３０７  表示部
３０８  音声案内部
３０９  記憶部
３１０  通信回線送受信部
３１１  ブルートゥース送受信部
３１２  メモリカード
３５０  レシート
ＳＴ  店舗設備
ＳＰ  広告提供者設備
ＮＡ  ナビゲーション装置
ＲＱ  広告依頼者設備
【図１】
0004560248.tif 000002
【図２】
0004560248.tif 000003
【図３】
0004560248.tif 000004
【図４】
0004560248.tif 000005
【図５】
0004560248.tif 000006
【図６】
0004560248.tif 000007